【手続補正書】
【提出日】平成25年9月30日(2013.9.30)
【手続補正１】
【補正対象書類名】特許請求の範囲
【補正対象項目名】全文
【補正方法】変更
【補正の内容】
【特許請求の範囲】
【請求項１】
複数の画像信号出力装置から出力された複数の画像信号を入力して、前記複数の画像信号に基づく複数の画像を１つの画面上に並べて表示する際に、画像毎に、その画像の画像信号を出力する画像信号出力装置に対して設定された発光設定で発光手段を発光させる画像表示装置であって、
ユーザが操作している画像信号出力装置を検出する検出手段と、
前記検出手段で前記ユーザが操作している画像信号出力装置が検出された場合に、前記検出された画像信号出力装置から出力された画像信号に基づく画像の表示領域および該画像とそれに隣接する隣接画像との境界部の発光手段を、前記検出された画像信号出力装置に対して設定された発光設定で発光させる制御手段と、
を有することを特徴とする画像表示装置。
【請求項２】
前記発光設定は、輝度または色温度を含む
ことを特徴とする請求項１に記載の画像表示装置。
【請求項３】
前記制御手段は、前記検出された画像信号出力装置に対して設定された発光設定と、前記隣接画像を出力する画像信号出力装置に対して設定された発光設定とに応じて、前記境界部の大きさを決定する
ことを特徴とする請求項１または２に記載の画像表示装置。
【請求項４】
前記発光設定は輝度を含み、
前記制御手段は、前記検出された画像信号出力装置に対して設定された輝度が前記隣接画像を出力する画像信号出力装置に対して設定された輝度よりも高いときに、前記検出された画像信号出力装置に対して設定された輝度が前記隣接画像を出力する画像信号出力装置に対して設定された輝度よりも低いときに比べて大きい領域を前記境界部として設定する
ことを特徴とする請求項１〜３のいずれか１項に記載の画像表示装置。
【請求項５】
前記発光設定は色温度を含み、
前記制御手段は、前記検出された画像信号出力装置に対して設定された色温度が前記隣接画像を出力する画像信号出力装置に対して設定された色温度よりも高いときに、前記検
出された画像信号出力装置に対して設定された色温度が前記隣接画像を出力する画像信号出力装置に対して設定された色温度よりも低いときに比べて大きい領域を前記境界部として設定する
ことを特徴とする請求項１〜４のいずれか１項に記載の画像表示装置。
【請求項６】
複数のアプリケーションによって生成された複数の画像を１つの画面上に並べて表示する際に、画像毎に、その画像を生成するアプリケーションに対して設定された発光設定で発光手段を発光させる画像表示装置であって、
ユーザが操作しているアプリケーションを検出する検出手段と、
前記検出手段で前記ユーザが操作しているアプリケーションが検出された場合に、前記検出されたアプリケーションによって生成された画像の表示領域および該画像とそれに隣接する隣接画像との境界部の発光手段を、前記検出されたアプリケーションに対して設定された発光設定で発光させる制御手段と、
を有することを特徴とする画像表示装置。
【請求項７】
複数の画像信号出力装置から出力された複数の画像信号を入力して、前記複数の画像信号に基づく複数の画像を１つの画面上に並べて表示する際に、画像毎に、その画像の画像信号を出力する画像信号出力装置に対して設定された発光設定で発光手段を発光させる画像表示装置の制御方法であって、
ユーザが操作している画像信号出力装置を検出する検出ステップと、
前記ユーザが操作している画像信号出力装置が検出された場合に、前記検出された画像信号出力装置から出力された画像信号に基づく画像の表示領域および該画像とそれに隣接する隣接画像との境界部の発光手段を、前記検出された画像信号出力装置に対して設定された発光設定で発光させる制御ステップと、
を有することを特徴とする画像表示装置の制御方法。
【請求項８】
前記発光設定は、輝度または色温度を含む
ことを特徴とする請求項７に記載の画像表示装置の制御方法。
【請求項９】
前記制御ステップでは、前記検出された画像信号出力装置に対して設定された発光設定と、前記隣接画像を出力する画像信号出力装置に対して設定された発光設定とに応じて、前記境界部の大きさを決定する
ことを特徴とする請求項７または８に記載の画像表示装置の制御方法。
【請求項１０】
前記発光設定は輝度を含み、
前記制御ステップでは、前記検出された画像信号出力装置に対して設定された輝度が前記隣接画像を出力する画像信号出力装置に対して設定された輝度よりも高いときに、前記検出された画像信号出力装置に対して設定された輝度が前記隣接画像を出力する画像信号出力装置に対して設定された輝度よりも低いときに比べて大きい領域を前記境界部として設定する
ことを特徴とする請求項７〜９のいずれか１項に記載の画像表示装置の制御方法。
【請求項１１】
前記発光設定は色温度を含み、
前記制御ステップでは、前記検出された画像信号出力装置に対して設定された色温度が前記隣接画像を出力する画像信号出力装置に対して設定された色温度よりも高いときに、前記検出された画像信号出力装置に対して設定された色温度が前記隣接画像を出力する画像信号出力装置に対して設定された色温度よりも低いときに比べて大きい領域を前記境界部として設定する
ことを特徴とする請求項７〜１０のいずれか１項に記載の画像表示装置の制御方法。
【請求項１２】
複数のアプリケーションによって生成された複数の画像を１つの画面上に並べて表示する際に、画像毎に、その画像を生成するアプリケーションに対して設定された発光設定で発光手段を発光させる画像表示装置の制御方法であって、
ユーザが操作しているアプリケーションを検出する検出ステップと、
前記ユーザが操作しているアプリケーションが検出された場合に、前記検出されたアプリケーションによって生成された画像の表示領域および該画像とそれに隣接する隣接画像との境界部の発光手段を、前記検出されたアプリケーションに対して設定された発光設定で発光させる制御ステップと、
を有することを特徴とする画像表示装置の制御方法。
【手続補正２】
【補正対象書類名】明細書
【補正対象項目名】発明の名称
【補正方法】変更
【補正の内容】
【発明の名称】画像表示装置及びその制御方法
【手続補正３】
【補正対象書類名】明細書
【補正対象項目名】０００８
【補正方法】変更
【補正の内容】
【０００８】
本発明の第１の態様は、複数の画像信号出力装置から出力された複数の画像信号を入力して、前記複数の画像信号に基づく複数の画像を１つの画面上に並べて表示する際に、画像毎に、その画像の画像信号を出力する画像信号出力装置に対して設定された発光設定で発光手段を発光させる画像表示装置であって、ユーザが操作している画像信号出力装置を検出する検出手段と、前記検出手段で前記ユーザが操作している画像信号出力装置が検出された場合に、前記検出された画像信号出力装置から出力された画像信号に基づく画像の表示領域および該画像とそれに隣接する隣接画像との境界部の発光手段を、前記検出された画像信号出力装置に対して設定された発光設定で発光させる制御手段と、を有することを特徴とする画像表示装置である。
本発明の第２の態様は、複数のアプリケーションによって生成された複数の画像を１つの画面上に並べて表示する際に、画像毎に、その画像を生成するアプリケーションに対して設定された発光設定で発光手段を発光させる画像表示装置であって、ユーザが操作しているアプリケーションを検出する検出手段と、前記検出手段で前記ユーザが操作しているアプリケーションが検出された場合に、前記検出されたアプリケーションによって生成された画像の表示領域および該画像とそれに隣接する隣接画像との境界部の発光手段を、前記検出されたアプリケーションに対して設定された発光設定で発光させる制御手段と、
を有することを特徴とする画像表示装置である。
【手続補正４】
【補正対象書類名】明細書
【補正対象項目名】０００９
【補正方法】変更
【補正の内容】
【０００９】
本発明の第３の態様は、複数の画像信号出力装置から出力された複数の画像信号を入力して、前記複数の画像信号に基づく複数の画像を１つの画面上に並べて表示する際に、画像毎に、その画像の画像信号を出力する画像信号出力装置に対して設定された発光設定で
発光手段を発光させる画像表示装置の制御方法であって、ユーザが操作している画像信号出力装置を検出する検出ステップと、前記ユーザが操作している画像信号出力装置が検出された場合に、前記検出された画像信号出力装置から出力された画像信号に基づく画像の表示領域および該画像とそれに隣接する隣接画像との境界部の発光手段を、前記検出された画像信号出力装置に対して設定された発光設定で発光させる制御ステップと、を有することを特徴とする画像表示装置の制御方法である。
本発明の第４の態様は、複数のアプリケーションによって生成された複数の画像を１つの画面上に並べて表示する際に、画像毎に、その画像を生成するアプリケーションに対して設定された発光設定で発光手段を発光させる画像表示装置の制御方法であって、ユーザが操作しているアプリケーションを検出する検出ステップと、前記ユーザが操作しているアプリケーションが検出された場合に、前記検出されたアプリケーションによって生成された画像の表示領域および該画像とそれに隣接する隣接画像との境界部の発光手段を、前記検出されたアプリケーションに対して設定された発光設定で発光させる制御ステップと、を有することを特徴とする画像表示装置の制御方法である。